【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
無線通信チャネルを備える無線システム内で用いる、受信された信号の信号品質を推定するための方法であって、
該無線通信チャネルから、実質的に固定的なやり方にて変調及び符号化された少なくとも一つの欄を含む、信号を受信するステップと、
少なくとも一つの参照欄を、該少なくとも一つの欄及び該無線通信チャネルの少なくとも一つの特性を表すチャネル推定信号に少なくとも基づいて生成するステップと、
信号品質の推定値を、該受信された信号内の該少なくとも一つの欄及び該生成された少なくとも一つの参照欄の関数として生成するステップと、を含むことを特徴とする方法。
【請求項２】
該信号品質の推定値を生成するステップが、該少なくとも一つの参照欄と関連する一つ或いは複数の信号点配置と該受信された信号内の該少なくとも一つの欄と関連する一つ或いは複数の対応する信号点配置との間の差を測定する処理を含む、請求項１記載の方法。
【請求項３】
該信号品質の推定値を生成するステップが、該受信された信号内の該少なくとも一つの欄と関連する該一つ或いは複数の信号点配置と該少なくとも一つの参照欄と関連する該一つ或いは複数の対応する信号点配置とを（時間的に）整合させるステップと、
該受信された信号内の該少なくとも一つの欄内の複数のサンプルの少なくとも一部の各々に対して、該受信された信号内の該少なくとも一つの欄と、該対応する少なくとも一つの参照欄との間の差を表す差信号を生成するステップと、を含む請求項２記載の方法。
【請求項４】
該受信された信号内の該少なくとも一つの欄を、該少なくとも一つの参照欄の生成に要した遅延時間と実質的に等しい量だけ遅延させるステップをさらに含む請求項１記載の方法。
【請求項５】
該受信された信号内の該少なくとも一つの欄と該少なくとも一つの参照欄との間の差を表す差信号を生成するステップと、
該差信号の規模を決定するステップとをさらに含み、
該信号品質の推定値が該差信号の該規模の関数として表現されるようになっている、請求項１記載の方法。
【請求項６】
該受信された信号内の該少なくとも一つの欄と該少なくとも一つの参照欄との間の差を表す差信号を生成するステップと、
該差信号の電力を測定するステップとをさらに含み、
該信号品質の推定値が該差信号の少なくとも該電力測定値の関数として表現される、請求項１記載の方法。
【請求項７】
該受信された信号が少なくとも一つの訓練シンボルを含み、該チャネル推定信号が少なくとも一部該受信された信号内の該少なくとも一つの訓練シンボルに基づいて計算されるようになっている、請求項１記載の方法。
【請求項８】
該受信された信号が可変的に変調及び符号化される第二の欄を含み、
該方法が、更に、該第二の欄の変調及び符号化の少なくとも一方を、少なくとも一部、該信号品質の推定値に少なくとも基づいて変化させるステップを含む、請求項１記載の方法。
【請求項９】
無線通信チャネルを備える無線システム内で用いる、受信された信号の信号品質を推定するための方法であって、
該無線通信チャネルから、実質的に固定的なやり方にて変調及び符号化された少なくとも一つの欄を含む信号を受信するステップと、
該受信された信号内の該少なくとも一つの欄に対応する少なくとも一つの特性を測定するステップと、
信号品質の推定値を、該受信された信号内の該少なくとも一つの欄に対応する該少なくとも一つの特性の関数として生成するステップと、を含むことを特徴とする方法。
【請求項１０】
無線通信チャネルを通じて通信を行うように構成可能であって送信機及び受信機を含む少なくとも一つのトランシーバを備える無線システム内で用いる、該少なくとも一つのトランシーバのデータ伝送速度を制御するための方法であって、
該無線通信チャネルから、実質的に固定的なやり方にて変調及び符号化された少なくとも一つの欄を含む信号を受信するステップと、
少なくとも一つの参照欄を、該少なくとも一つの欄及び該無線通信チャネルの少なくとも一つの特性を表すチャネル推定信号に少なくとも基づいて生成するステップと、
該受信された信号内の該少なくとも一つの欄と該少なくとも一つの参照欄とを比較し、これに対応する差信号を生成するステップと、
該差信号の関数としての信号品質の推定値を生成するステップと、
該送信機の該データ伝送速度を、該信号品質の推定値に少なくとも基づいて修正するステップと、を含むことを特徴とする方法。
【請求項１１】
無線通信チャネルを通じて通信を行うように構成可能であって送信機及び受信機を含む少なくとも一つのトランシーバを備える無線システム内で用いる、該少なくとも一つのトランシーバのデータ伝送速度を制御するための方法であって、
該無線通信チャネルから、実質的に固定的なやり方にて変調及び符号化された第一の欄と可変的に変調及び符号化された第二の欄とを含む信号を受信するステップと、
該受信された信号内の該第一の欄に対応する少なくとも一つの特性を測定するステップと、
信号品質の推定値を、該受信された信号内の該第一の欄に対応する該少なくとも一つの特性と該少なくとも一つの特性に対応する少なくとも一つの閾値との間の差の関数として生成するステップと、
該第二の欄の該変調及び符号化の少なくとも一方を、該信号品質の推定値に少なくとも基づいて修正するステップと、を含むことを特徴とする方法。
【請求項１２】
無線通信チャネルから受信される、実質的に固定的なやり方にて変調及び符号化された少なくとも一つの欄を含む信号の信号品質を推定するための回路であって、少なくとも一つのコントローラを備え、該コントローラが：
（１）少なくとも一つの参照欄を、少なくとも一部、該受信された信号内の該少なくとも一つの欄及び該無線通信チャネルの少なくとも一つの特性を表すチャネル推定信号に基づいて生成するステップと、
（２）信号品質の推定値を、該受信された信号内の該少なくとも一つの欄及び該生成された少なくとも一つの参照欄の関数として生成するステップとを、遂行するように構成されることを特徴とする回路。
【請求項１３】
無線通信チャネルから受信される、実質的に固定的なやり方にて変調及び符号化された少なくとも一つの欄を含む信号の信号品質を推定するための回路であって、
少なくとも一つの参照欄を、少なくとも一部、該受信された信号内の該少なくとも一つの欄及び該無線通信チャネルの少なくとも一つの特性を表すチャネル推定信号に基づいて生成するように構成されたプロセッサと、
該プロセッサに接続された比較器とを備え、該比較機が信号品質の推定値を該少なくとも一つの参照欄と該受信された信号内の該一つの欄との間の差の関数として生成するように構成されることを特徴とする回路。
【請求項１４】
該プロセッサが：
該受信された信号内の該少なくとも一つの欄を受信し、これから該少なくとも一つの欄と関連する複数の受信されたシンボルビットを回復するように構成されたスライサと、
該受信されたシンボルビット内に潜在的に存在する一つ或いは複数の誤りを訂正して、該少なくとも一つの欄内の当初送信されたシンボルビットに対応する訂正された受信シンボルビットを生成するように構成された復号器と、
該訂正された受信されたシンボルビットを符号化するように構成された符号器と、
該訂正及び符号化された受信シンボルビットをベースバンド信号に変換するように構成された変調器と、
該ベースバンド信号と該チャネル推定信号とを結合することで、該少なくとも一つの参照欄を、少なくとも一部、該ベースバンド信号及び該チャネル推定信号に基づいて生成するように構成された乗算器と、を備える請求項１３記載の回路。
【請求項１５】
無線通信チャネルを通じて通信するように構成された受信機及び送信機を含むトランシーバを備える無線通信システムのデータ伝送速度を選択的に適応化するための回路であって、少なくとも一つのコントローラを備え、該コントローラが：
（１）該無線通信チャネルから、実質的に固定的なやり方にて変調及び符号化された少なくとも一つの欄を含む信号を受信するステップと、
（２）少なくとも一つの参照欄を、少なくとも一部、該少なくとも一つの欄及び該無線通信チャネルの少なくとも一つの特性を表すチャネル推定信号に基づいて生成するステップと、
（３）該受信された信号内の該少なくとも一つの欄と該少なくとも一つの参照欄とを比較し、これに対応する差信号を生成するステップと、
（４）該差信号の関数としての信号品質の推定値を生成するステップと、
（５）該送信機のデータ伝送速度を、少なくとも一部、該信号品質の推定値に基づいて修正するステップとを、遂行するように構成されることを特徴とする回路。
【請求項１６】
無線通信チャネルから受信される、実質的に固定的なやり方にて変調及び符号化された少なくとも一つの欄を含む信号の信号品質を推定するための少なくとも一つの回路を含む半導体デバイスであって、該少なくとも一つの回路は、
少なくとも一つのコントローラを備え、該コントローラは、
（１）少なくとも一つの参照欄を、少なくとも一部、該受信された信号内の該少なくとも一つの欄及び該無線通信チャネルの少なくとも一つの特性を表すチャネル推定信号に基づいて生成するステップと、
（２）信号品質の推定値を、該受信された信号内の該少なくとも一つの欄及び該生成された少なくとも一つの参照欄の関数として生成するステップとを、遂行するように構成されることを特徴とする半導体デバイス。